(57)【要約】  生体情報の取得部位となる手のひらを適切な姿勢に支持するガイドの正確な装着が可能な生体情報取得装置を提供する。  情報入力装置（生体情報取得装置）（１）は、筺体（１０）の上面（手のひらと対向する対向面）に、手のひらの静脈像を撮像する静脈センサ（４）と、手首を支持する手首ガイド（５）と、静脈センサ（４）を挟んで手首ガイド（５）と対向する指ガイド（１６）と、着脱自在であって五指を支持可能なガイド（２）を備える。ガイド（２）は、上部を開放した箱体であり、開放端を庇状にした三指支持部（１７）と第１指／第５指支持部（３）とで五指を支持する。ガイド（２）は、底部に静脈センサ（４）が臨む窓部（１５）と、指ガイド（１６）を挿通可能なスリットとを有し、スリットに指ガイド（１６）を挿通して筺体（１０）に装着される。
2013073031.tif 000002
【特許請求の範囲】
【請求項１】
手のひらと対向する対向面に設けられて前記手のひらを撮像する撮像部と、
前記対向面から起立して、手首を上端部で支持する第１の起立壁と、
前記撮像部を挟んで前記第１の起立壁と対向するとともに前記対向面から起立する第２の起立壁と、
上部を開放した箱体の底部に前記撮像部が臨む窓と、前記第２の起立壁を挿通可能なスリットと、を有し、前記スリットに前記第２の起立壁を挿通して前記対向面に載置されたときに開放端で五指を支持可能なガイドと、
を備えることを特徴とする生体情報取得装置。
【請求項２】
前記ガイドは、上部を矩形に開放して、前記撮像部を挟んで前記第１の起立壁に対向する端辺に第２指から第４指の三指を支持する三指支持部を備え、前記三指支持部の両側の端辺に、第１指または第５指を支持する第１指／第５指支持部を備えることを特徴とする請求の範囲第１項記載の生体情報取得装置。
【請求項３】
前記ガイドが前記対向面に載置されたときに、前記三指支持部が前記第２の起立壁の前記上端部の近傍に位置することを特徴とする請求の範囲第２項記載の生体情報取得装置。
【請求項４】
前記第２の起立壁は、前記ガイドが前記対向面に載置されたときに、前記三指支持部とともに指を支持可能な位置を上端部とすることを特徴とする請求の範囲第２項記載の生体情報取得装置。
【請求項５】
前記ガイドは、前記対向面を有する筺体の側面と当接して前記ガイドの載置位置を案内する舌状の起立壁を、前記底部の左右方向両端に備えることを特徴とする請求の範囲第３項記載の生体情報取得装置。
【請求項６】
前記ガイドは、前記舌状の起立壁を前記スリットの側方から前記窓方向に延設することを特徴とする請求の範囲第５項記載の生体情報取得装置。
【請求項７】
前記ガイドは、前記対向面を有する筺体の側面と当接して前記ガイドの載置位置を案内する前記舌状の起立壁を、前記底部の左右方向両端に備えることを特徴とする請求の範囲第６項記載の生体情報取得装置。
【請求項８】
前記対向面は、前記撮像部と前記第１の起立壁との間に嵌合凹部を備え、
前記ガイドは、前記底部の前記対向面側に、前記嵌合凹部と嵌合する嵌合凸部を備えることを特徴とする請求の範囲第１項乃至請求の範囲第７項のいずれか１項に記載の生体情報取得装置。
【発明の詳細な説明】
【技術分野】
【０００１】
本発明は、生体情報取得装置に関する。
【背景技術】
【０００２】
個人を識別可能な生体情報を用いたユーザ認証が普及し始めている。たとえば、認証に利用可能とされる生体情報として、指紋、目の網膜や虹彩、顔、血管、ＤＮＡ（Deoxyribo Nucleic Acid）などが知られている。【０００３】
たとえば、金融機関などでは、生体情報として手のひらの静脈パタンを用いた顧客の認証がおこなわれている。生体認証をおこなう場合には、金融機関の窓口などであらかじめ照合用の情報を登録することがおこなわれる。【０００４】
このとき、手のひらの姿勢（形状、向きなど）が不適切であると、照合用の情報と、認証時に取得した情報との同一性を確認できない。そのため、生体情報を取得する生体情報取得装置は、生体情報の取得対象となる生体情報取得部位を適切な姿勢に支持するガイドを備える。
【先行技術文献】
【特許文献】
【０００５】
【特許文献１】特開２００６−１１９８８号公報
【発明の概要】
【発明が解決しようとする課題】
【０００６】
しかしながら、銀行などの窓口は、生体情報取得装置を設置するのに十分なスペースを確保するのが容易でない場合が多い。このような使用環境下で、手のひらの姿勢を適切にして支持するためのガイドは、手を支持するものとなるため比較的大きなものとならざるを得ない。【０００７】
そこで、設置時の省スペース化のため、ガイドを本体から着脱自在にしたときに、適切にガイドが装着されないことにより、手のひらが適切な姿勢で支持されないことが起こり得る。【０００８】
本発明は、このような点に鑑みてなされたものであり、ガイドの正確な装着が可能な生体情報取得装置の提供を目的とする。
【課題を解決するための手段】
【０００９】
上記課題を解決するために、生体情報取得装置は、撮像部と、第１の起立壁と、第２の起立壁と、ガイドと、を備える。撮像部は、手のひらと対向する対向面に設けられて手のひらを撮像する。第１の起立壁は、対向面から起立して、手首を上端部で支持する。第２の起立壁は、撮像部を挟んで第１の起立壁と対向するとともに対向面から起立する。ガイドは、上部を開放した箱体であり、箱体の底部に撮像部が臨む窓と、第２の起立壁を挿通可能なスリットと、を有する。ガイドは、スリットに第２の起立壁を挿通して対向面に載置されたときに、開放端で五指を支持可能にする。
【発明の効果】
【００１０】
上記の生体情報取得装置によれば、ガイドの正確な装着が可能である。
本発明の上記および他の目的、特徴および利点は本発明の例として好ましい実施の形態を表す添付の図面と関連した以下の説明により明らかになるであろう。
【図面の簡単な説明】
【００１１】
【図１】実施形態の情報入力装置の外観を示す図である。
【図２】実施形態の情報入力装置からガイドを取り外したときの外観を示す図である。
【図３】実施形態の情報入力装置に装着されるガイドの正面側の外観を示す図である。
【図４】実施形態の情報入力装置に装着されるガイドの裏面側の外観を示す図である。
【図５】実施形態の情報入力装置の側面を示す図である。
【図６】実施形態の情報入力装置における手のひらの静脈を撮像する時の様子を示す俯瞰図である。
【図７】実施形態の情報入力装置における手のひらの静脈を撮像する時の様子を示す側面図である。
【図８】実施形態の情報入力装置のガイドの載置状態を示す図である。
【図９】実施形態の情報入力装置の構成を示す図である。
【図１０】実施形態の情報入力装置を備える登録装置、および登録装置を含む認証システムを示す図である。
【発明を実施するための形態】
【００１２】
以下、実施形態を図面を参照して説明する。
まず、実施形態の情報入力装置について、図１から図４を用いて説明する。図１は、実施形態の情報入力装置の外観を示す図である。図２は、実施形態の情報入力装置からガイドを取り外したときの外観を示す図である。図３は、実施形態の情報入力装置に装着されるガイドの正面側の外観を示す図である。図４は、実施形態の情報入力装置に装着されるガイドの裏面側の外観を示す図である。
【００１３】
情報入力装置１は、暗証番号入力または手のひら静脈の撮像画像を取得して本人認証が可能な認証装置（確認装置）である。また、情報入力装置１は、認証に用いる暗証番号、あるいは認証に用いる手のひら静脈の撮像画像を取得してテンプレート登録が可能な登録装置である。また、情報入力装置１は、暗証番号の入力を受け付ける暗証番号入力装置であり、生体情報を取得する生体情報取得装置でもある。
【００１４】
情報入力装置１は、卓上型であり、たとえば、金融機関の窓口などでカウンターテーブルに載置されて用いられる。情報入力装置１は、このような使用環境下における利便性の向上のために小型化が求められている。また、情報入力装置１は、使用時にカウンターテーブルに載置され、使用後に所定の収納位置（たとえば、ロッカーや引き出し、棚など）に片付けられる場合があり、持ち運びなどの取り扱いが容易であることも求められている。
【００１５】
情報入力装置１は、暗証番号の入力と、手のひらの静脈パタンの入力と、磁気ストライプに記録された情報の入力と、ＩＣ（Integrated Circuit）カードに記録された情報の入力とをおこなうことができる。情報入力装置１は、着脱自在なガイド２を備える。情報入力装置１は、手のひらの静脈パタンの入力をおこなう場合にガイド２を装着し、手のひらの静脈パタンの入力をおこなわない場合にガイド２を取り外す。
【００１６】
情報入力装置１は、大きな直方体状の箱体の一側に、小さな直方体状の箱体を合わせたような筺体１０を有する。大小２つの直方体は、上面（手のひらと対向する面）および底部の長手方向を奥行き方向とする。また、大小２つの直方体は、上面および底部を略面一にして接続する。
【００１７】
情報入力装置１は、筺体１０の大きな箱体を形成する方に、静脈センサ４と、操作部１１と、ＩＣリーダライタ１２を備える。情報入力装置１は、筺体１０の小さな箱体を形成する方に、ＭＳ（Magnetic Stripe：磁気ストライプ）リーダ９を備える。
【００１８】
静脈センサ（撮像部）４は、手のひらを撮像するイメージセンサ（たとえば、ＣＭＯＳ（Complementary Metal Oxide Semiconductor）センサ、ＣＣＤ（Charge Coupled Device）センサなど）と、集光レンズと、被写体に照射して被写体との距離を測距するための複数の発光素子（ＬＥＤ：Light Emitting Diode）とを備える。
【００１９】
情報入力装置１は、筺体１０の前面にＩＣリーダライタ１２にＩＣカードを挿入する開口を備える。ＩＣリーダライタ１２は、ＩＣカードが備えるＩＣチップから所要の情報の読み出しをおこなったり、所要の情報の書き込みをおこなったりすることができる。たとえば、情報入力装置１は、ＩＣリーダライタ１２により照合用の生体情報（登録用テンプレート）をＩＣチップに記録することができる。また、情報入力装置１は、ＩＣリーダライタ１２により照合用の生体情報をＩＣチップから読み出すことができる。
【００２０】
情報入力装置１は、ＩＣカードを挿入する開口を正面にして筺体１０の上面の手前側に、操作部１１を備える。操作部１１は、「０」から「９」までの数字キーと、訂正キーと、確定キーの合計１２個の操作スイッチを４行３列に配置する。操作部１１の奥手側には、表示部８を備える。表示部８は、４つのＬＥＤからなり、操作部１１で受け付けた暗証番号の入力桁数を表示する。
【００２１】
なお、表示部８は、ＬＣＤ（Liquid Crystal Display：液晶ディスプレイ）などの表示装置であってもよい。また、表示部８がＬＣＤである場合に、操作部１１は、ＬＣＤ上に設けられたタッチパネルなどであってもよい。
【００２２】
情報入力装置１は、筺体１０の上面に手首ガイド５を備える。手首ガイド５は、透明な樹脂製であり、前方起立壁１３、側方起立壁７および手首支持部１４を含んで構成される。
【００２３】
手首ガイド５は、筺体１０の上面であって、操作部１１および表示部８の奥手側に、前方起立壁１３を備える。前方起立壁１３は、操作部１１および表示部８と、静脈センサ４との間に設けられ、操作部１１および表示部８と、静脈センサ４とを区画する。前方起立壁１３は、所要の高さがあり、操作部１１および表示部８を静脈センサ４の方向から観察できないようにする目隠しとして機能する。
【００２４】
前方起立壁１３は、静脈センサ４の方向から操作部１１および表示部８を視認不能または視認困難に塗装されている。なお、前方起立壁１３は、透過率の低い材質、屈折率の大きな形状、または遮蔽シールの貼付や凹凸加工などの表面処理によって、静脈センサ４の方向からの視認性を低下させるものであってもよい。
【００２５】
手首ガイド５は、静脈センサ４に翳される手の手首を支持する手首支持部１４を、前方起立壁１３の上端に備える。手首支持部１４は、手首に合わせた曲面形状であり、手首の位置、傾きを規制して、手のひらを静脈センサ４の撮像範囲に的確に誘導する。また、手首支持部１４は、前方起立壁１３の上端から操作部１１の方向に庇状にせり出す。これにより、手首支持部１４は、静脈センサ４の方向の比較的高い視点から、操作部１１および表示部８を目隠しする機能を有する。たとえば、手首ガイド５は、表示部８の直上に手首支持部１４を備えることで、情報入力装置１の上方からの覗きこみに対しても表示部８を目隠しすることができる。これにより、金融機関の窓口で対面する係員が情報入力装置１の操作説明を身を乗り出しておこなうような場合であっても、顧客の入力内容や入力操作は、係員に対して目隠しされる。
【００２６】
このように、情報入力装置１は、手首支持部１４が前方起立壁１３の上端から操作部１１の方向に庇状にせり出すことで、前方起立壁１３の高さを抑制しながら操作部１１および表示部８を目隠しする機能を向上している。
【００２７】
手首ガイド５は、前方起立壁１３の両側に側方起立壁７を備える。側方起立壁７は、前方起立壁１３と同様に透明な樹脂製であり、情報入力装置１の左右方向から操作部１１および表示部８を視認不能または視認困難に塗装されている。したがって、前方起立壁１３および側方起立壁７は、情報入力装置１の前方（手前側）および上方を開放したフード状の目隠しとなり、暗証番号の入力操作および入力内容を第三者が覗き見ることを防止する。
【００２８】
また、前方起立壁１３および側方起立壁７は、一体成形により剛性が向上する。前方起立壁１３と一体成形された側方起立壁７は、筺体１０の上面から操作部１１の方向に傾いて起立する前方起立壁１３の倒れを防止する。これにより、情報入力装置１は、手首支持部１４による手首支持の安定感を向上させている。
【００２９】
情報入力装置１は、筺体１０の上面であって、手首支持部１４の奥手側に指ガイド１６を備える。指ガイド１６は、矩形かつ板状である。指ガイド１６は、筺体１０の上面から垂直に起立した後、静脈センサ４の撮像範囲から逃げる方向に傾いて屈曲し、さらに、上端部近傍で鉛直方向に屈曲する。指ガイド１６は、起立壁の上端部で指を支持する。指ガイド１６は、標準的な手のひら長（たとえば、１１０ｍｍ）だけ手首支持部１４と離間して設けられる。
【００３０】
情報入力装置１は、筺体１０の上面であって手首支持部１４の奥手側に、静脈センサ４を備える。静脈センサ４は、筺体１０の上面にある矩形状の開口から上方を臨む。静脈センサ４は、手首ガイド５と、筺体１０の上面であって静脈センサ４の奥手側にある指ガイド１６との間に設けられる。静脈センサ４は、筺体１０の上面をセンシング（撮像）方向とし、手首ガイド５と指ガイド１６に支持される手のひらの静脈像を撮像する。
【００３１】
なお、情報入力装置１は、手首ガイド５と指ガイド１６により手のひらを支持可能であるが、手のひらの静脈像の撮像時により適切な姿勢で手のひらを支持するためにガイド２の装着が推奨される。
【００３２】
情報入力装置１は、コンピュータと接続する電源ケーブル６ａおよび信号ケーブル６ｂと、筺体１０の裏面側で接続する。電源ケーブル６ａは、コンピュータと情報入力装置１とを、コンピュータから情報入力装置１に電源を供給可能に接続する。信号ケーブル６ｂは、コンピュータと情報入力装置１とを通信可能に接続する。電源ケーブル６ａおよび信号ケーブル６ｂは、たとえば、ＵＳＢ（Universal Serial Bus：ユニバーサル・シリアル・バス）ケーブルとすることができる。
【００３３】
情報入力装置１は、筺体１０の小さな箱体を形成する方に、ＭＳリーダ９を備える。ＭＳリーダ９は、上方にスリットを開放し、スリットの奥側から差込まれて手前側にスライド操作されたＭＳカードから情報を読み取る。スリットは、静脈センサ４の側方から操作部１１の側方に至る長さを有し、筺体１０の小さな箱体を長手方向に貫通する。情報入力装置１は、ガイド２を着脱自在とし、ガイド２を取り外した状態でのＭＳカードスライド操作を容易にしている。これにより、情報入力装置１は、ＭＳカードスライド操作の操作者とガイド２との干渉を避けることができ、ＭＳリーダ９を備えながらにして筺体１０の小型化を可能にしている。
【００３４】
ガイド２は、静脈センサ４が手のひらの静脈像を安定して取得可能なように、手を適切な姿勢に案内可能な形状をしている。ガイド２は、底部２１を矩形として上方に向かって拡開した箱形（逆四角錐台）状であり、上方を開放した凹室２２を有する。凹室２２は、底部２１の四辺から起立した前方壁１９と、後方壁２５と、２つの側方壁２６、および底部２１とから形成される。
【００３５】
底部２１は、中央部に窓部１５を備え、前方壁１９に沿ってスリット２７を備える。窓部１５は、ガイド２の装着時に静脈センサ４に対応する位置にあり、矩形に開口した領域内に静脈センサ４を内包する大きさを有する。
【００３６】
スリット２７は、ガイド２の装着時に指ガイド１６に対応する位置にあり、指ガイド１６を挿通可能な大きさと形状を有する。スリット２７は、矩形であり、長手方向を前方壁１９の下端に接し、底部２１を左右方向に幅一杯に切欠く。ガイド２は、指ガイド１６をスリット２７に挿通することにより、筺体１０の上面（ガイド２の台座面）に適正に装着がなされるように案内される。
【００３７】
ガイド２は、開放端側となる４辺のうち３辺に鍔状の指支持部を備える。指支持部は、三指支持部１７と、三指支持部１７の両側に第１指／第５指支持部３を備える。三指支持部１７は、静脈センサ４を挟んで手首ガイド５と対向する辺に位置し、第２指から第４指までの三指を支持する。第１指／第５指支持部３は、第１指または第５指のいずれか一方を支持する。三指支持部１７は、底部２１から起立する前方壁１９の上端に位置する。第１指／第５指支持部３は、底部２１から起立する側方壁２６の上端に位置する。
【００３８】
三指支持部１７と第１指／第５指支持部３は、所定の高さ（たとえば、５ｍｍ）の段差２０を介して接続する。後方壁２５の上端部とは、第１指／第５指支持部３は、所定の高さ（たとえば、５ｍｍ）の段差２４を介して接続する。
【００３９】
ガイド２は、半球状の突起２８を底部２１の裏面側に２つ備える。２つの突起２８は、筺体１０の上面にある２つの位置決めガイド１８とそれぞれ嵌合してガイド２を正位置に案内する。これにより、ガイド２は、筺体１０に対して前後方向の移動が規制される。また、突起２８と位置決めガイド１８の嵌合は、筺体１０にガイド２を装着する担当者に、正位置への装着感を与えることができる。なお、突起２８と位置決めガイド１８を２つずつの２対を設ける情報入力装置１を例示したが、突起２８と位置決めガイド１８を１つずつの１対であってもよいし、あるいは突起２８と位置決めガイド１８を３つずつ以上の３対以上であってもよい。
【００４０】
また、ガイド２は、底部２１の裏面側に凸状嵌合部（突起２８）を備え、筺体１０の上面に凹状嵌合部（位置決めガイド１８）を備えるようにしたが、底部２１の裏面側に凹状嵌合部を備え、筺体１０の上面に凸状嵌合部を備えるようにしてもよい。
【００４１】
ガイド２は、側面の奥手側下端に、底部２１から突設するようにして側方ガイド２３を左右に一対備える。側方ガイド２３は、略台形をした舌状の起立壁であり、スリット２７の側方から窓部１５方向に延設される。側方ガイド２３は、筺体１０へのガイド２の装着時に、筺体１０の側面と当接してガイド２の正位置への装着を案内する。これにより、ガイド２は、筺体１０に対して左右方向の移動を規制される。また、側方ガイド２３は、筺体１０とガイド２を装着する際に側方ガイド２３の直下に異物がある場合、筺体１０にガイド２を装着する担当者に、異物の存在を知らしめることができる。
【００４２】
このように、情報入力装置１は、筺体１０にガイド２を装着することで、手首支持部１４と、三指支持部１７と、第１指／第５指支持部３とで手のひらを正位置に支持することができる。また、情報入力装置１は、ガイド２を不透過性の樹脂で形成することで、凹室２２内への外乱光の侵入を制限し、手のひらの静脈像を好適に取得可能になる。
【００４３】
また、ガイド２は、手のひらと静脈センサ４との間を包囲する形状としたことで、筺体１０内の発熱部（たとえば、電源部や電子部品）からの発熱が手のひらを温めるよう凹室２２内を保温することができる。このとき、筺体１０の上面と底部２１の当接は、筺体１０上面からの放熱による凹室２２内の加温に貢献する。また、窓部１５の開口は、静脈センサ４からの放熱による凹室２２内の加温に貢献する。
【００４４】
なお、情報入力装置１は、筺体１０へのガイド２の装着を必須とせず、手首支持部１４と、指ガイド１６とで手のひらを支持することもできる。たとえば、外乱光の少ない環境下では、情報入力装置１は、筺体１０へのガイド２の装着を省略して、手のひらの静脈像を簡便に取得することができる。
【００４５】
しかしながら、手のひらの姿勢が適切でない状態で登録されたテンプレートは、照合時の本人確認の精度が低下するおそれがある。そこで、手のひらの姿勢を適切にしてテンプレート登録をおこなうために、情報入力装置１は、筺体１０へのガイド２の装着が推奨される。
【００４６】
なお、情報入力装置１は、ガイド２を着脱自在としているので、手のひらの静脈の撮像を伴わない運用時（たとえば、暗証番号の入力、ＩＣカードのリードライト、ＭＳカードのリードなど）に、情報入力装置１をコンパクトにして取り扱うことができる。これにより、情報入力装置１は、装置の小型化が求められる金融機関の窓口などでの運用が容易となる。
【００４７】
次に、実施の形態のガイド２が筺体１０に装着されている状態、および情報入力装置１に手のひらが載置された時の様子について、図５から図７を用いて説明する。図５は、実施形態の情報入力装置の側面を示す図である。図６は、実施形態の情報入力装置における手のひらの静脈を撮像する時の様子を示す俯瞰図である。図７は、実施形態の情報入力装置における手のひらの静脈を撮像する時の様子を示す側面図である。なお、図５に図示する情報入力装置１は、ガイド２の着脱の理解を容易にするためガイド２を破線で表している。
【００４８】
手首ガイド５は、側面から観察したときに「く」の字状に屈曲した前方起立壁１３と、前方起立壁１３の上端に手首支持部１４を備える。前方起立壁１３は、筺体１０の上面から角度ｒ２（たとえば、１０°）の傾きを有して立ち上がり、中間部で角度ｒ１（たとえば、１０°）を有するように屈曲する。角度ｒ２は、静脈センサ４の撮像範囲（画角内）から前方起立壁１３を後退させる。これにより、情報入力装置１は、手のひらの撮像範囲の拡大と、表示部８および操作部１１の配置領域の拡大と、操作部１１における操作空間の拡大と、を図ることができる。
【００４９】
指ガイド１６は、筺体１０の上面から所定高さ（たとえば、ガイド２の底部２１の厚さ）だけ垂直に起立した後、静脈センサ４の撮像範囲から逃げる方向に角度ｒ４（たとえば、１０°）だけ傾いて屈曲する。指ガイド１６は、さらに、上端部近傍で鉛直方向に屈曲する。角度ｒ４は、静脈センサ４の撮像範囲（画角内）Ａから指ガイド１６を後退させる。これにより、情報入力装置１は、手のひらの撮像範囲の拡大を図ることができる。
【００５０】
指ガイド１６は、筺体１０へのガイド２の装着時に正しい装着位置への案内をおこなう機能を有する。ガイド２は、指ガイド１６をスリット２７に挿通させることで正しい装着位置に案内される。また、ガイド２は、指ガイド１６の有する傾きにより、手首ガイド５（特に、手首支持部１４）との干渉を避けるようにして案内可能であり、手首支持部１４の位置や形状の設計の自由度向上に寄与している。
【００５１】
指ガイド１６をスリット２７に挿通したガイド２は、筺体１０の上面にある位置決めガイド１８と突起２８を嵌合して正位置に装着される。位置決めガイド１８と突起２８の嵌合は、スリット２７に挿通された指ガイド１６の前後方向の遊びに対して、ガイド２を前後方向における正位置に案内する。さらに、筺体１０と側方ガイド２３の当接は、スリット２７に挿通された指ガイド１６の左右方向の遊びに対して、ガイド２を左右方向における正位置に案内する。これにより、情報入力装置１は、筺体１０の正しい装着位置にガイド２の装着をおこなうことができる。
【００５２】
正しく装着されたガイド２は、第１指／第５指支持部３と三指支持部１７が水平となり、ガイド２が支持する手のひらと静脈センサ４とを正対させる。装着されたガイド２は、後方壁２５が筺体１０の上面から角度ｒ３（たとえば、１０°）の傾きを有して立ち上がる。角度ｒ３は、静脈センサ４の撮像範囲Ａから後方壁２５を後退させる。ガイド２は、前方壁１９および側方壁２６についても後方壁２５と同様にして所定の傾きを設ける。これにより、情報入力装置１は、ガイド２装着時の手のひらの撮像範囲の拡大を図ることができる。
【００５３】
正しく装着されたガイド２は、三指支持部１７が手首支持部１４より所定の高さｄ１（たとえば、５ｍｍ）だけ低い位置に位置する。指ガイド１６の上端と三指支持部１７は、略同一の高さに位置する。第１指／第５指支持部３は、三指支持部１７と段差２０を介して接続し、三指支持部１７より所定の高さｄ２（たとえば、５ｍｍ）だけ低い位置に位置する。
【００５４】
このように、情報入力装置１は、手首と、第２指から第４指と、第１指および第５指とは所定の段差を設けて支持することにより、静脈センサ４による手のひら静脈の好適なセンシングをおこなうことができる。
【００５５】
なお、ガイド２は、後方壁２５の上端を側方壁２６よりも段差２４の分だけ低くしている。これにより、情報入力装置１は、手首または手首近傍までを静脈センサ４の撮像範囲Ａとすることができる。
【００５６】
情報入力装置１は、撮像範囲Ａに五指の指股部を含めることで、手の姿勢判定、および手のひらの範囲の特定を容易にしている。また、情報入力装置１は、撮像範囲Ａに手首または手首近傍を含めることで、手の姿勢判定、および手のひらの範囲の特定を容易にしている。
【００５７】
次に、実施形態の情報入力装置のガイドの載置状態について、図８を用いて説明する。図８は、実施形態の情報入力装置のガイドの載置状態を示す図である。
まず、ガイド２が正しく装着された状態（図８（Ａ））の情報入力装置１を説明する。ガイド２は、スリット２７への指ガイド１６の挿通と、位置決めガイド１８と突起２８の嵌合と、筺体１０と側方ガイド２３との当接と、により筺体１０に正常に装着される。筺体１０に正常に装着されたガイド２は、指ガイド１６の上端と、三指支持部１７とを略面一にする。すなわち、指ガイド１６の上端と、三指支持部１７は、ともに高さが同じであり、ともに水平である。
【００５８】
したがって、筺体１０にガイド２を装着する担当者は、指ガイド１６の上端と、三指支持部１７を目視することで、正常な装着を正確に把握可能になる。このような装着状態の目視確認は、指ガイド１６を透明な樹脂で成形し、指ガイド１６越しに三指支持部１７を観察可能にすることで一層容易にすることができる。また、指ガイド１６の上端と、三指支持部１７が近接配置されることで、利用者（生体情報取得対象者）は、三指支持部１７に三指を載置したときに指ガイド１６に触れ、ガイド２の装着状態を触覚により確認することもできる。
【００５９】
次に、ガイド２が異物を挟んで装着された状態（図８（Ｂ））の情報入力装置１を説明する。たとえば、鉛筆やケーブルなどの異物３０が筺体１０の上面にある状態でガイド２を装着しようとしたときに、異物３０がスリット２７と静脈センサ４の間にある場合、側方ガイド２３が異物３０と干渉する。このとき、両側にある側方ガイド２３の一方のみが異物３０と干渉していれば、ガイド２は、左右方向に大きく傾く。この状態は、指ガイド１６の上端と、三指支持部１７とで傾きが異なり、略面一とならないことにより容易に確認可能である。また、両側にある側方ガイド２３の両方が異物３０と干渉していれば、ガイド２は、前後方向に大きく傾く。この状態は、指ガイド１６の上端と、三指支持部１７とで高さが異なり、略面一とならないことにより容易に確認可能である。
【００６０】
次に、ガイド２が異物を挟んで装着された状態（図８（Ｃ））の情報入力装置１を説明する。たとえば、硬貨やクリップ、伝票などの異物３１が筺体１０の上面にある状態でガイド２を装着しようとしたとき、ガイド２は、左右方向または前後方向、あるいは左右方向と前後方向に傾く。この状態も、指ガイド１６の上端と、三指支持部１７とで傾きが異なり、略面一とならないことにより容易に確認可能である。
【００６１】
次に、実施形態の情報入力装置の構成について、図９を用いて説明する。図９は、実施形態の情報入力装置の構成を示す図である。
情報入力装置１は、制御部７０と、通信部７１と、記憶部７２と、画像処理部７３と、暗号化処理部７４と、入出力インターフェース部７５を備える。制御部７０は、各処理部を統括的に制御する。記憶部７２は、所要の情報を一時的に記憶する。画像処理部７３は、画像情報について画像処理をおこなう。暗号化処理部７４は、所要の情報を暗号化する。
【００６２】
入出力インターフェース部７５は、静脈センサ４と、操作部１１と、表示部８と、ＩＣリーダライタ１２と、ＭＳリーダ９と、ＳＡＭ（Security Access Module）部７９を接続する。通信部７１は、コンピュータと接続してデータの送受信をおこなう。ＳＡＭ部７９は、情報入力装置１のセキュリティを担保する。たとえば、ＳＡＭ部７９は、情報入力装置１を一意に特定可能な識別情報を記憶して情報入力装置１の正当性の保証をおこなったり、暗号鍵または復号鍵を記憶して情報入力装置１が入出力をおこなう情報の暗号化または複合化をおこなったりする。
【００６３】
このような構成により、情報入力装置１は、手のひらの静脈像の入力、利用者による操作入力、ＩＣカードに記録された所要の情報の入力、ＭＳカードに記録された所要の情報の入力をおこなうことができる。
【００６４】
次に、実施形態の情報入力装置が用いられる認証システムについて、図１０を用いて説明する。図１０は、実施形態の情報入力装置を備える登録装置、および登録装置を含む認証システムを示す図である。
【００６５】
認証システム５０は、生体の特徴を認識して個人を特定して認証する情報処理システムの１つであり、たとえば、銀行システムなどで顧客の認証をおこなう。認証システム５０は、登録装置６０、複数の自動預払装置５３、および認証サーバ５１などの情報処理装置と、ネットワーク５５を含んで構成される。
【００６６】
認証サーバ５１は、個人を識別するための識別情報と、生体認証前にあらかじめ登録される照合情報（テンプレート）とを関連付けて記憶する。個人を識別するための識別情報は、利用者に直接的（たとえば、利用者番号）に、あるいは間接的（たとえば、口座番号）に付されたユニークなＩＤ（IDentification）である。
【００６７】
自動預払装置５３は、金融機関の屋内にあるＡＴＭ（Automated Teller Machine）コーナ５２や、ＡＴＭブース５４に、１台または複数台が設置される。自動預払装置５３は、金融取引に先立ち、利用者を認証する際に、生体認証をおこなう認証装置の１つである。自動預払装置５３は、ＩＣリーダライタ５６とセンサユニット５７を備える。
【００６８】
センサユニット５７は、撮像装置を備え、利用者の手のひらの静脈像を撮像する。自動預払装置５３は、ＩＣリーダライタ５６が利用者のＩＣカード（たとえば、ＩＣチップ内蔵型キャッシュカード）から読み取る識別情報から特定する照合情報と、センサユニット５７から取得する利用者の手のひらの静脈像とから、利用者の認証をおこなう。
【００６９】
登録装置６０は、銀行の窓口などに設けられ、係員の指示または操作にしたがい、利用者のテンプレート登録をおこなう装置である。登録装置６０は、処理装置６１と、ディスプレイ６２と、情報入力装置１を含んで構成され、必要に応じてキーボード６３と、マウス６４等を含んで構成される。情報入力装置１は、撮像装置を内蔵し、利用者の手のひらの静脈像を撮像する。情報入力装置１は、撮像した手のひらの静脈像、または手のひらの静脈像にもとづいて生成した照合情報を出力する。情報入力装置１は、手のひらの静脈像、または照合情報を処理装置６１の記憶部、認証サーバ５１の記憶部、または利用者のＩＣカード６５の記憶部のうち少なくともいずれか１つに記録する。
【００７０】
なお、図１０に示す認証システム５０は、情報入力装置１を処理装置６１と接続して登録装置６０を構成したが、すでに照合情報がテンプレート登録されている場合、生体認証をおこなう認証装置とすることもできる。たとえば、自動預払装置５３は、センサユニット５７を情報入力装置１に置き換えることもできる。
【００７１】
なお、実施形態は、認証に用いる生体情報として手のひらの静脈像を例示したが、情報入力装置１は、認証に用いる生体情報を掌紋とすることもできる。
なお、上述の実施の形態は、実施の形態の要旨を逸脱しない範囲内において種々の変更を加えることができる。
【００７２】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００７３】
１  情報入力装置
２  ガイド
３  第１指／第５指支持部
４  静脈センサ
５  手首ガイド
６ａ  電源ケーブル
６ｂ  信号ケーブル
７  側方起立壁
８  表示部
９  ＭＳリーダ
１０  筺体
１１  操作部
１２  ＩＣリーダライタ
１３  前方起立壁
１４  手首支持部
１５  窓部
１６  指ガイド
１７  三指支持部
１８  位置決めガイド
１９  前方壁
２０  段差
２１  底部
２２  凹室
２３  側方ガイド
２４  段差
２５  後方壁
２６  側方壁
２７  スリット
２８  突起
【図１】
2013073031.tif 000003
【図２】
2013073031.tif 000004
【図３】
2013073031.tif 000005
【図４】
2013073031.tif 000006
【図５】
2013073031.tif 000007
【図６】
2013073031.tif 000008
【図７】
2013073031.tif 000009
【図８】
2013073031.tif 000010
【図９】
2013073031.tif 000011
【図１０】
2013073031.tif 000012
【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
手のひらと対向する対向面に設けられて前記手のひらを撮像する撮像部と、
前記対向面から起立して、手首を上端部で支持する第１の起立壁と、
前記撮像部を挟んで前記第１の起立壁と対向するとともに前記対向面から起立する第２の起立壁と、
上部を開放した箱体の底部に前記撮像部が臨む窓と、前記第２の起立壁を挿通可能なスリットと、を有し、前記スリットに前記第２の起立壁を挿通して前記対向面に載置されたときに開放端で五指を支持可能なガイドと、
を備えることを特徴とする生体情報取得装置。
【請求項２】
前記ガイドは、上部を矩形に開放して、前記撮像部を挟んで前記第１の起立壁に対向する端辺に第２指から第４指の三指を支持する三指支持部を備え、前記三指支持部の両側の端辺に、第１指または第５指を支持する第１指／第５指支持部を備えることを特徴とする請求項１記載の生体情報取得装置。
【請求項３】
前記ガイドが前記対向面に載置されたときに、前記三指支持部が前記第２の起立壁の前記上端部の近傍に位置することを特徴とする請求項２記載の生体情報取得装置。
【請求項４】
前記第２の起立壁は、前記ガイドが前記対向面に載置されたときに、前記三指支持部とともに指を支持可能な位置を上端部とすることを特徴とする請求項２記載の生体情報取得装置。
【請求項５】
前記ガイドは、前記対向面を有する筺体の側面と当接して前記ガイドの載置位置を案内する舌状の起立壁を、前記底部の左右方向両端に備えることを特徴とする請求項３記載の生体情報取得装置。
【請求項６】
前記ガイドは、前記舌状の起立壁を前記スリットの側方から前記窓方向に延設することを特徴とする請求項５記載の生体情報取得装置。
【請求項７】
前記ガイドは、前記対向面を有する筺体の側面と当接して前記ガイドの載置位置を案内する前記舌状の起立壁を、前記底部の左右方向両端に備えることを特徴とする請求項６記載の生体情報取得装置。
【請求項８】
前記対向面は、前記撮像部と前記第１の起立壁との間に嵌合凹部を備え、
前記ガイドは、前記底部の前記対向面側に、前記嵌合凹部と嵌合する嵌合凸部を備えることを特徴とする請求項１乃至請求項７のいずれか１項に記載の生体情報取得装置。
【国際調査報告】
2013073031.tif 000013
2013073031.tif 000014
2013073031.tif 000015